(57)【要約】【課題】インキタンク３ａ内に発生した気泡３０ａが前方当接部１４ａや移動弁１５に付着しにくい構造のインキ吸入式万年筆を提供する。【解決手段】中芯９の前方部に前方当接部１４ａを自重で中芯９に対して可倒させる連結部１３を設け、ペン芯装着孔４ａの後端内面にテーパー部４ｂを設け且つ前方当接部１４ａの前端を球面形状とし、前方当接部１４ａの球面部１４ｄをペン芯装着孔４ａのテーパー部４ｂだけに接触させつつ、前方当接部１４ａの球面部１４ｄをペン芯装着孔４ａのテーパー部４ｂに円状に線接触させる。【選択図】図９
2011088378.tif 000002
【特許請求の範囲】
【請求項１】
ペン芯を配したペン芯装着孔と、該ペン芯装着孔に連設した大径空間部と当該大径空間部の後方に連設した小径空間部とを有するインキタンクを軸筒内に設け、前記インキタンク内に当該インキタンクの後部を密閉する保持部に設けた中芯保持孔へ摺動可能に密嵌させた中芯を配すると共に、該中芯の前端部に前方当接部を設け、前記中芯を前方へ移動させることにより該前方当接部を前記ペン芯装着孔の内面に当接させて前記インキタンクを密閉可能とし、且つ前記前方当接部の後方に、前記インキタンクの小径空間部の内面と密着し且つ前記インキタンクの大径部と隙間が生じる外周部と、前記中芯を遊嵌させて流体が通過する流体流通路とを有した移動弁を設け、前記移動弁の後方に、前記中芯の前方への移動に伴い該移動弁に当接して当該移動弁の後方への移動を規制すると共に前記流体流通路を遮断する後方当接部を設け、前記移動弁が前記インキタンクの小径空間部にある状態から前進させることにより、前記移動弁の流体流通路を後方当接部で遮断して小径空間部を負圧状態とし、さらに前記移動弁を前記インキタンクの大径空間部へ前進させることにより、負圧状態にある前記インキタンクの小径空間部と前記ペン芯とを前記移動弁の外周部と前記インキタンクの大径空間部の内面との隙間で連通させ、当該インキタンク内にインキを吸入する構造のインキ吸入式万年筆において、前記中芯の前方部に前記前方当接部を自重で該中芯に対して可倒させる連結部を設けることにより、前記前方接部を前記ペン芯装着孔から離間させた状態で前記前方当接部を自重により前記インキタンクの下方へ傾斜可能とし、前記ペン芯装着孔の後端内面にテーパー部を設け且つ前記前方当接部の前端を球面形状とし、前記前方当接部が離間し且つ前記ペン芯装着孔に対して傾いた状態で当該前方当接部を前記ペン芯装着孔に当接させる際に、前記移動弁の側面を前記インキタンクの大径部に摺接させて前記前方当接部の傾斜を規制し、前記前方当接部の球面部を前記ペン芯装着孔のテーパー部だけに接触させつつ、当該前方当接部の球面部を前記ペン芯装着孔のテーパー部へ円状に接触させて前記インキタンクを密閉することを特徴としたインキ吸入式万年筆。
【請求項２】
前記前方当接部を、金属からなる前方当接体に形成したことを特徴とする請求項１に記載のインキ吸入式万年筆。
【発明の詳細な説明】
【技術分野】
【０００１】
本発明は、軸筒内にインキタンクを備えた万年筆に関し、詳細には、インキタンク内の中芯に付設した移動弁を前進させることによりインキタンク内を負圧とし、ペン芯からインキを吸入する構造のインキ吸入式万年筆に関する。
【背景技術】
【０００２】
従来より、特開２００１−３４７７８６号公報に記載の万年筆のように、軸筒内にインキタンクを形成したインキタンクの容積が大きい万年筆では、インキタンクとペン芯とを遮断する構造が重要視されている。理由として、インキタンクの容積が大きいと内在する空気の量が多くなり、温度や気圧の変化によるインキタンク内の空気の膨張量も大きくなることから、空気の膨張によって押し出されるインキの量がペン芯に収容できる量を上回り、インキ漏れを生じさせることがあるためである。
【０００３】
したがって特開２００１−３４７７８６号公報に記載の万年筆では、未使用時においてはインキタンク内の中芯を前進させ、中芯の先端に設けた前方当接部を軸筒前方に配したペン芯やペン芯装着孔に当接させることにより、外部と連通しているペン芯の空気溝やインキ溝とインキタンクを遮断して、インキ漏れの防止を行っている。また筆記時においては中芯を若干後退させ、前方当接部をペン芯やペン芯装着孔から離間させた状態にして、ペン芯へのインキ流入を可能としている。尚、特開２００１−３４７７８６号公報に記載があるような吸入式の万年筆では、筆記時にインキを吸引させるための弁体（本発明における移動弁）を小径孔（本発明における小径空間部）にまで後退させないようにする必要がある。理由としては、弁体を小径孔まで後退させてしまった場合、筆記時に誤って中芯を押してしまうことで、ペン芯に連設したインキタンクの大径空間部を加圧してしまい、逃げ場のなくなったインキがペン芯から飛び出さないようにするためである。したがって、筆記可能状態においては前方当接部をペン芯やペン芯装着孔からわずかに離間させた状態でペン芯へのインキの流入を可能としてあり、結果的に筆記時において前方当接部や移動弁がペン芯に近い状態となることから、インキの吐出量に応じてペン芯から生じる気泡が前方当接部や移動弁に付着しやすく、インキタンクの後方へ行くことなく徐々に気泡がペン芯の近くで大きくなって、インキの流出を阻害し、筆記を妨げる場合があった。
【特許文献１】特開２００１−３４７７８６号公報
【発明の開示】
【発明が解決しようとする課題】
【０００４】
本発明はこうした問題を鑑みて、インキタンク内に発生した気泡が前方当接部や移動弁に付着しにくい構造のインキ吸入式万年筆を提供することを目的とする。
【課題を解決するための手段】
【０００５】
本発明は、
「１．ペン芯を配したペン芯装着孔と、該ペン芯装着孔に連設した大径空間部と当該大径空間部の後方に連設した小径空間部とを有するインキタンクを軸筒内に設け、前記インキタンク内に当該インキタンクの後部を密閉する保持部に設けた中芯保持孔へ摺動可能に密嵌させた中芯を配すると共に、該中芯の前端部に前方当接部を設け、前記中芯を前方へ移動させることにより該前方当接部を前記ペン芯装着孔の内面に当接させて前記インキタンクを密閉可能とし、且つ前記前方当接部の後方に、前記インキタンクの小径空間部の内面と密着し且つ前記インキタンクの大径部と隙間が生じる外周部と、前記中芯を遊嵌させて流体が通過する流体流通路とを有した移動弁を設け、前記移動弁の後方に、前記中芯の前方への移動に伴い該移動弁に当接して当該移動弁の後方への移動を規制すると共に前記流体流通路を遮断する後方当接部を設け、前記移動弁が前記インキタンクの小径空間部にある状態から前進させることにより、前記移動弁の流体流通路を後方当接部で遮断して小径空間部を負圧状態とし、さらに前記移動弁を前記インキタンクの大径空間部へ前進させることにより、負圧状態にある前記インキタンクの小径空間部と前記ペン芯とを前記移動弁の外周部と前記インキタンクの大径空間部の内面との隙間で連通させ、当該インキタンク内にインキを吸入する構造のインキ吸入式万年筆において、前記中芯の前方部に前記前方当接部を自重で該中芯に対して可倒させる連結部を設けることにより、前記前方接部を前記ペン芯装着孔から離間させた状態で前記前方当接部を自重により前記インキタンクの下方へ傾斜可能とし、前記ペン芯装着孔の後端内面にテーパー部を設け且つ前記前方当接部の前端を球面形状とし、前記前方当接部が離間し且つ前記ペン芯装着孔に対して傾いた状態で当該前方当接部を前記ペン芯装着孔に当接させる際に、前記移動弁の側面を前記インキタンクの大径部に摺接させて前記前方当接部の傾斜を規制し、前記前方当接部の球面部を前記ペン芯装着孔のテーパー部だけに接触させつつ、当該前方当接部の球面部を前記ペン芯装着孔のテーパー部へ円状に接触させて前記インキタンクを密閉することを特徴としたインキ吸入式万年筆。
２．前記前方当接部を、金属からなる前方当接体に形成したことを特徴とする１項に記載のインキ吸入式万年筆。」である。
【０００６】
本発明における連結部とは、ボールジョイントやヒンジ構造などで、軸筒の中心線に対して平行に配設される中芯に対し、前方当接部あるいは移動弁や後方当接部が自重によって下方へ傾斜できる構造のことである。
【発明の効果】
【０００７】
筆記時において発生する気泡はインキタンクの上方を通過することから、下方へ傾斜した前方当接部には気泡が接触したり付着しにくく、インキの流出を阻害することなく筆記を行うことができるものとなり、且つ前方当接部でインキタンクを密閉する際には、球面状の前方当接部の前端部がペン芯装着孔のテーパー部に必ず円状に線接触するので、前方当接部とペン芯装着孔とに隙間が生じることなく確実に密閉させることができる。また、前方当接部を設けた前方当接体をインキとの濡れ性がよい金属で形成することにより、前方当接部に対して気泡がさらに付着しにくくなると同時に、比重が大きい金属であることから、インキタンク内で前方当接部が下方へ傾斜しやすくなる。
【図面の簡単な説明】
【０００８】
【図１】本実施例の万年筆の断面図である。
【図２】図１の要部断面図である。
【図３】尾冠を引いている状態の断面図である。
【図４】図３の要部断面図である。
【図５】ペン芯をインキ瓶のインキに入れて尾冠を押している状態の断面図である。
【図６】図５の要部断面図である。
【図７】図６の状態からさらに尾冠を前進させた状態の図である。
【図８】筆記を行っている状態の要部断面図である。
【図９】前方当接体がペン芯装着孔方向へ移動している状態を示す図である。
【図１０】前方当接体がペン芯装着孔のテーパー部に当接している状態を示す図である。
【図１１】従来構造の万年筆にて筆記を行っている状態の要部断面図である。
【図１２】従来構造の万年筆にて連続筆記を行っている状態の要部断面図である。
【図１３】従来構造の万年筆にて筆記を行っている状態の要部断面図である。
【図１４】従来構造の万年筆にて連続筆記を行っている状態の要部断面図である。
【発明を実施するための最良の形態】
【０００９】
インキタンク内に発生した気泡が、ペン芯の近くにある前方当接部や移動弁に対して付着しにくい構造のインキ吸入式万年筆を実現した。
【実施例】
【００１０】
次に図面を参照しながら本実施例の説明を行う。本実施例の説明においては、長手方向においてペン先の方向を前方と表現し、その反対側を後方と表現する。また、軸筒の軸心を基準にペン先がある側を上方と表現し、その反対側を下方と表現する。また本実施例を説明する断面図では、内容を解りやすくするために、断面図と外形図とを組み合わせた状態の図面記載がある。図中の同じ部材、同じ部品については、同じ符号としてある。尚、本発明は以下の実施例に限定されるものではない。
【００１１】
図１は本実施例の万年筆の縦断面図である。万年筆１は、軸筒２を軸筒本体３と首部材４とで構成してあり、首部材４の内部にペン芯５を装着するペン芯装着孔４ａを設けてある。ペン芯５は、ペン芯本体５ａとペン芯本体５ａに形成した貫通孔に配した内芯５ｂとからなり、ペン芯本体５ａの側面と首部材４の内面との間にペン先６を挟持してある。
また首部材４のペン芯装着孔４ａの後端部には、後方へ向かって拡径するテーパー部４ｂを設けてあり、軸筒本体３の内部に設けたインキタンク３ａの大径空間部３ｂと連設させ、大径空間部３ｂの後方に小径空間部３ｃを連設してある。小径空間部３ｃの後部にはインキタンク３ａを密閉する保持部材７を螺着してあり、保持部材７に形成した中芯保持孔７ａにはＯリング８を配設し、インキタンク３ａ内に配した中芯９を摺動可能に密嵌させている。また中芯９の後端部には雄螺子部９ａを形成してあり、雄螺子部９ａを尾冠１０に形成した雌螺子部１０ａに螺合させて、尾冠１０の前後動に伴ってインキタンク３ａ内の中芯９が従動できるようにしてある。尚、尾冠１０の前端内面には雌螺子部１０ｂを形成してあり、保持部材７の後端外面に形成した雄螺子部７ｂと螺合可能にしてある。
【００１２】
図２は図１の要部断面図である。図２を用いて本実施例の要部構造について説明を行う。中芯９の先端には雄螺子部９ｂを形成してあり、雄螺子部９ｂには筒状の連結受部材１１に形成した雌螺子部１１ａを螺着し、連結受部材１１の先端部に設けた内向きの鍔部 １１ｂに、連結受部材１１の空間部１１ｃに収容した連結軸１２の後端大径部１２ａが当接するようにして抜け止めとした連結部１３を構成している。また連結受部材１１の先端開口部１１ｄから突出させた連結軸１２は前方に雄螺子部１２ｂを設けてあり、前述したペン芯装着孔４ａのテーパー部４ｂに当接する半球形状の前方当接部１４ａを有した前方当接体１４の雌螺子部１４ｂと螺合してある。本実施例では前方当接体１４をステンレスにより形成した。また前方当接体１４の側面には、複数放射状に形成した突起部１４ｃを設けてあり、連結軸１２に、前後方向が貫通した流体流通路１５ａを挿通させると共に移動弁１５の前方への移動を突起部１４ｃで規制している。また、後方当接部１６ａを有した後方当接体１６は、貫通孔１６ｂに連結軸１２を挿着させると共に、前方当接体１４の後端部と連結軸１２に形成した膨出部１２ｃとの間に挟持させ、移動弁１５の後方への移動を後方当接体１６の後方当接部１６ａによって規制してある。したがって移動弁１５は、前方当接体１４の突起部１４ｃと後方当接体１６の後方当接部１６ａとの間で前後動可能としてある。また図示はしないが、インキタンク３ａ内にインキが収容された状態であっても、図２の状態においては、ペン芯装着孔４ａのテーパー部４ｂに前方当接体１４の半球形状の前方当接部１４ａを円状に当接させて、ペン芯５のインキ溝５ｃや空気溝５ｄをインキタンク３ａから遮断してインキ漏れを防止した非筆記状態となっている。
【００１３】
次にインキタンクにインキを吸入する際の説明を行う。図３は尾冠を引いている状態の断面図で、図４は図３の要部断面図である。図３に示すように尾冠１０を保持部材７から螺脱して後方へ引き、中芯９を後退させて移動弁１５をインキタンク３ａの小径空間部３ｃへ移動させると、図４に示すように移動弁１５の外周部１５ｄが小径空間部３ｃの内面に密着し、移動弁１５の流体通路１５ａの内部に形成した突起部１５ｂが前方当接体１４の突起部１４ｃに当接した状態で後退する。この際、移動弁１５の後端部１５ｃは、後方当接体１６の後方当接部１６ａと離間しており、インキがなくなり空となった小径空間部３ｃ内の空気は、複数放射状に配列した突起部１５ｂ間を通って流体流通路１５ａを通過するので、インキタンク３ａ内の圧力を変化させることなく、移動弁１５をインキタンク３ａの後端まで後退させることができる。
【００１４】
図５はペン芯をインキ瓶のインキに入れて尾冠を押している状態の断面図で、図６は図５の要部断面図である。図７は図６の状態からさらに尾冠を前進させた状態である。図５に示すように尾冠を前進させることにより、図６に詳細を示すようにインキタンク３ａの小径空間部３ｃの内面に密着した移動弁１５の後端部１５ｃが後方当接体１６の後方当接部１６ａに当接して、移動弁１５の流体流通路１５ａを遮断し、気密状態の小径空間部３ｃを負圧状態とする。この状態から図７に示すように、さらに移動弁１５を大径空間部３ｂまで前進させることにより、移動弁１５の外周部１５ｄが大径空間部３ｂの内面と離間して隙間を生じさせ、図５に示したインキ瓶４０のインキ２０をペン芯５から吸入し、負圧状態となっている小径空間部３ｃへ向かって吸い上げる構造である（図７参照）。
【００１５】
本実施例の万年筆における筆記時のインキタンク内の説明を行う。図８は筆記を行っている状態の要部断面図である。筆記状態においてインキタンク３ａ内のインキ２０は、ペン芯５のインキ溝５ｃから流出し、インキ２０の吐出分２０ａだけ空気３０が空気溝５ｄから入る構造である。したがって、図８に示すように、空気溝５ｄから入ってくる空気は気泡３０ａとなり、浮力でインキタンク３ａの上部を通りながら後方へ向かう。本実施例では図８に示すように、前方当接体１４と移動弁１５と後方当接体１６とが重力により連結部１３にて下方へ傾斜し、気泡３０ａが前方当接体１４などに付着せずにインキタンク３ａの上部を通過しながら後方へ進むことができた。
【００１６】
次に、図９，図１０を用いて、ペン芯装着孔４ａのテーパー部４ｂに、前方当接体１４の半球形状である前方当接部１４ａを当接させる状態についての説明を行う。図９は、前方当接体１４をペン芯装着孔４ａの方向へ移動させ、半球形状の前方当接部１４ａにテーパー部４ｂを当接させて、ペン芯５のインキ溝５ｃや空気溝５ｄをインキタンク３ａから遮断させる時の状態を示している。図９に示すように、軸筒２が傾斜した状態では、移動弁１５および前方当接体１４が自重で下方へ傾斜することになるが、図に矢指した前方当接体１４のＡとＢの状態は移動弁１５の外周部がインキタンク３ａの大径空間部３ｂに内接して、前方当接体１４がペン芯装着孔４ａに当接する際には、必ず半球形状の前方当接部１４ａの球面部１４ｄがまず始めにテーパー部４ｂへ当接することになるので、前方当接体１４が途中で引っ掛かることなく滑らかに矢指Ｃの状態に至りペン芯装着孔４ａに密着することができた。
【００１７】
図１０では、中芯９の傾きによって前方当接体１４が中心線に対して傾斜してペン芯装着孔４ａに当接することになるが、前方当接体１４の前方当接部１４ａは半球形状としてあることから、本実施例では必ず前方当接部１４ａの球面部１４ｄが、テーパー部４ｂの前方部にある角部４ｃに仮想線Ｒで示したように円状に接して、確実に前方当接体１４をペン芯装着孔４ａに密着させ、ペン芯５のインキ溝５ｃや空気溝５ｄをインキタンク３ａから遮断して密閉することができた。
【００１８】
次に比較例として、従来構造の吸入式の万年筆における筆記時のインキタンク内の説明を行う。図１１は従来構造の万年筆２００における要部断面図である。前述の本実施例と異なる点は、中芯９に連結部が存在せず、インキタンク３ａの大径空間部３ｂにおいても前方当接体１４と移動弁１５と後方当接体１６とが下方に傾斜することなく、軸心に沿って真っ直ぐになっている点である。図１１に示すように、前述の実施例と同様の気泡３０ａが空気溝５ｄから発生するが、気泡３０ａは前方当接体１４の上部に付着して、後方へ進むことなく徐々に大きくなり、連続筆記により図１２のような状態となり、インキタンク３ａ内のインキ２０がペン芯５と隔離され、インキ２０の流出を阻害してしまった。
あるいは図１３に示すように、空気溝５ｄから浮上した気泡３０ａが、外径の大きい移動弁１５の上部に付着して、後方へ進むことなく徐々に大きくなり、連続筆記により図１４のような状態となり、インキタンク３ａ内のインキ２０がペン芯５と隔離され、インキ２０の流出を阻害してしまった。
【産業上の利用可能性】
【００１９】
本発明は、万年筆のペン先以外でも、特開平８−５２９７７号公報に示されるような、複数の薄板材を重ね合わせて微小隙間状のインク流路を先端部から後端部まで全長に渡って形成したペン先を有する筆記具にも適用できる。
【符号の説明】
【００２０】
１…万年筆、２…軸筒、
３…軸筒本体、３ａ…インキタンク、３ｂ…大径空間部、３ｃ…小径空間部、
４…首部材、４ａ…ペン芯装着孔、４ｂ…テーパー部、４ｃ…角部、
５…ペン芯、５ａ…ペン芯本体、５ｂ…内芯、５ｃ…インキ溝、
５ｄ…空気溝、
６…ペン先、７…保持部材、７ａ…中芯保持孔、７ｂ…雄螺子部、
８…Ｏリング、９…中芯、９ａ…雄螺子部、９ｂ…雄螺子部、
１０…尾冠、１０ａ…雌螺子部、１０ｂ…雌螺子部、
１１…連結受部材、１１ａ…雌螺子部、１１ｂ…鍔部、
１１ｃ…空間部、１１ｄ…先端開口部、
１２…連結軸、１２ａ…後端大径部、１２ｂ…雄螺子部、１２ｃ…膨出部、
１３…連結部、
１４…前方当接体、１４ａ…前方当接部、１４ｂ…雌螺子部、
１４ｃ…突起部、１４ｄ…球面部、
１５…移動弁、１５ａ…流体流通路、１５ｂ…突起部、１５ｃ…後端部、
１５ｄ…外周部、
１６…後方当接体、１６ａ…後方当接部、１６ｂ…貫通孔、
２０…インキ、２０ａ…吐出分、３０…空気、３０ａ…気泡、
４０…インキ瓶、５０…スポイト。
【図１】
2011088378.tif 000003
【図２】
2011088378.tif 000004
【図３】
2011088378.tif 000005
【図４】
2011088378.tif 000006
【図５】
2011088378.tif 000007
【図６】
2011088378.tif 000008
【図７】
2011088378.tif 000009
【図８】
2011088378.tif 000010
【図９】
2011088378.tif 000011
【図１０】
2011088378.tif 000012
【図１１】
2011088378.tif 000013
【図１２】
2011088378.tif 000014
【図１３】
2011088378.tif 000015
【図１４】
2011088378.tif 000016